(57)【要約】  【課題】  どの距離の範囲において視力がいくらかを測定することができ、精度の高い視力測定が可能な視力測定装置を提供する。  【解決手段】  駆動装置４により表示装置３をＸ方向に移動させ、被験者１が表示装置３の視力測定用画像を判別できたかどうかを入力装置６により入力する。その際、被験者１の目の位置と、視力測定用画像を表示する表示装置３の位置との距離に応じて、視力測定用画像が被験者１の網膜上に、設定された視力値に応じた一定のサイズで投影されるように、視力測定用画像の表示サイズを変化させる。【選択図】  図１
2006263067.tif 000002
【特許請求の範囲】
【請求項１】
被験者の視力を測定するための視力測定装置であって、
測定すべき視力値を設定する視力設定部と、
視力測定用画像を表示する表示部と、
前記被験者の目の位置と前記表示部の位置との距離を変化させる駆動部と、
前記距離に応じて、前記視力測定用画像が前記被験者の網膜上に、前記設定された視力値に応じた一定のサイズで投影されるように前記視力測定用画像の表示サイズを変化させる表示制御部と、
を備える視力測定装置。
【請求項２】
請求項１記載の視力測定装置であって、
前記被験者による前記視力測定用画像の判別結果を入力する入力部を備える視力測定装置。
【請求項３】
請求項２記載の視力測定装置であって、
前記判別結果には、前記視力測定用画像の方向を示す情報が含まれる視力測定装置。
【請求項４】
請求項２又は３記載の視力測定装置であって、
前記入力部は、音声入力部と、入力した音声を認識する音声認識部と、を有する視力測定装置。
【請求項５】
請求項２ないし４のいずれか１項記載の視力測定装置であって、
前記入力部に入力が行われた時点における前記被験者の目の位置と前記表示部の位置との距離の情報を出力する距離情報出力部を備える視力測定装置。
【請求項６】
請求項１ないし５のいずれか１項記載の視力測定装置であって、
前記表示部は、液晶表示パネルである視力測定装置。
【請求項７】
請求項１ないし６のいずれか１項記載の視力測定装置であって、
前記駆動部は、前記表示部を、前記被験者が前記視力測定用画像を判別不可能な位置から判別可能な位置へ移動させる視力測定装置。
【請求項８】
請求項７記載の視力測定装置であって、
前記駆動部は、前記被験者が近視者である場合、前記表示部を前記被験者に近づける方向に移動させる視力測定装置。
【請求項９】
請求項７記載の視力測定装置であって、
前記駆動部は、前記被験者が遠視者である場合、前記表示部を前記被験者から遠ざける方向に移動させる視力測定装置。
【請求項１０】
請求項１ないし９のいずれか１項記載の視力測定装置であって、
目の結像調節機能の訓練を行う視力回復訓練モードを有し、
前記視力回復訓練モード時には、
前記表示部は、訓練用画像を表示し、
前記駆動部は、前記表示部を連続的に往復運動させ、
前記表示制御部は、前記被験者の目の位置と前記表示部の位置との距離に応じて、前記訓練用画像が網膜上に、前記設定された視力値に応じた一定のサイズで投影されるように前記訓練用画像の表示サイズを変化させる視力測定装置。
【発明の詳細な説明】
【技術分野】
【０００１】
本発明は、被験者の視力を測定するための視力測定装置に関する。
【背景技術】
【０００２】
従来の視力測定は、近視の場合は、被験者から５ｍの距離に大から小のサイズの複数のＣ形状のランドルト環を表示した表を設置し、そのランドルト環の切れ目を識別できるサイズで視力を測定している。また、遠視の場合は、被験者から５０ｃｍの距離に上記のランドルト環を表示した表を設置し、同様にそのランドルト環の切れ目を識別できるサイズで視力を測定している。
【０００３】
図８は上記のランドルト環を使用した視力測定動作を示す図である。同図に示すように、視力値は１／視角（分）で表される。測定に使用するランドルト環の向きは、上下左右の４方向となっている。
【０００４】
図９は従来の視力測定のイメージを示す図であり、距離と視力の関係を示している。同図に示すように、本来、視力は距離に依存し、連続的に変化しうるものである。測定データＡ、Ｂ、Ｃの３人の被験者は視力が異なっているが、現状の測定方法ではすべて同一と判断される。このように、従来の、距離が異なる２点のみの測定による視力では不充分であり、視力回復訓練などの訓練条件を決定するためには、より精度の高い視力測定が必要である。
【０００５】
また、視力の測定にアコモドメータを使用することも知られている（例えば非特許文献１参照）。これは、焦点が合う位置の中で目からの距離が最も近い点（近点）から最も遠い点（遠点）、もしくは逆に遠点から近点に焦点を合わせるのに要する時間を測定する装置で、固視標を動かしたときの被験者の屈折値を内蔵のレフラクトメータで連続して他覚的に測定するものである。その際、固視標の位置を動かすことによって調節刺激を与え、自動レフラクトメータによって調節反応を測定する。
【０００６】
また、ランドルト環のような標的を動かす際に目の焦点を合わせやすくした視力改善装置も提案されている（例えば特許文献１参照）。これは、接眼部からそれぞれ所定の距離にある近点と遠点の間を、標的を適宜な速度で移動させるとともに、標的と接眼部との距離に比例して、標的に表示される図形の大きさを変化させるものである。
【０００７】
【非特許文献１】丸尾敏夫・粟屋忍著「視能矯正学」第７版、金原出版株式会社、２００４年２月１０日発行、第１１３頁〜第１１４頁
【特許文献１】国際公開第２００４／０６６９００号パンフレット
【発明の開示】
【発明が解決しようとする課題】
【０００８】
しかしながら、従来の視力測定装置においては、視力測定用の表までの距離と視力との関係はあまり考慮されていない為、誤った視力判定がなされる場合があり、視力回復訓練などの条件を正確に設定することができない場合があった。
【０００９】
本発明は、上記従来の事情に鑑みてなされたものであって、どの距離の範囲において視力がいくらかを測定することができ、精度の高い視力測定が可能な視力測定装置を提供することを目的とする。
【課題を解決するための手段】
【００１０】
本発明の視力測定装置は、被験者の視力を測定するための視力測定装置であって、測定すべき視力値を設定する視力設定部と、視力測定用画像を表示する表示部と、前記被験者の目の位置と前記表示部の位置との距離を変化させる駆動部と、前記距離に応じて、前記視力測定用画像が前記被験者の網膜上に、前記設定された視力値に応じた一定のサイズで投影されるように前記視力測定用画像の表示サイズを変化させる表示制御部と、を備える。
【００１１】
上記構成によれば、設定された視力値に応じた視力測定用画像を表示する表示部の位置と被験者の目の位置との距離を変化させながら、被験者に視力測定用画像の判別可否を申告させることにより、どの程度の距離において測定対象の視力を有するかを測定することができる。すなわち、どの距離の範囲において視力がいくらかを測定することができ、精度の高い視力測定が可能になる。したがって、視力回復訓練などの条件を正確に設定することができる。
【００１２】
また、本発明の視力測定装置は、前記被験者による前記視力測定用画像の判別結果を入力する入力部を備える。上記構成によれば、入力された判別結果を利用して自動的に視力測定結果を求めることができる。
【００１３】
また、本発明の視力測定装置は、前記判別結果には、前記視力測定用画像の方向を示す情報が含まれるものである。上記構成によれば、より正確に視力を測定することができる。
【００１４】
また、本発明の視力測定装置は、前記入力部が、音声入力部と、入力した音声を認識する音声認識部と、を有するものである。上記構成によれば、被験者あるいは被験者の周囲にいる人の音声により判別結果を入力することができる。
【００１５】
また、本発明の視力測定装置は、前記入力部に入力が行われた時点における前記被験者の目の位置と前記表示部の位置との距離の情報を出力する距離情報出力部を備える。上記構成によれば、取得した距離の情報を表示部に表示したり、音声で出力することにより、被験者に距離を把握させることができる。
【００１６】
また、本発明の視力測定装置は、前記表示部が、液晶表示パネルであるものである。上記構成によれば、低消費電力で視力測定用画像を表示させることができる。
【００１７】
また、本発明の視力測定装置は、前記駆動部が、前記表示部を、前記被験者が前記視力測定用画像を判別不可能な位置から判別可能な位置へ移動させるものである。上記構成によれば、表示部を、判別可能な位置から判別不可能な位置へ移動させる場合、被験者にとって、自分が視力測定用画像を判別できたか否かを正確に認識することが難しいのに対し、被験者は、判別の可否を認識しやすくなり、正確に申告することができるため、より正確な視力測定が可能となる。
【００１８】
また、本発明の視力測定装置は、前記駆動部が、前記被験者が近視者である場合、前記表示部を前記被験者に近づける方向に移動させるものである。上記構成によれば、被験者は、判別の可否を認識しやすくなり、正確に申告することができるため、より正確な視力測定が可能となる。
【００１９】
また、本発明の視力測定装置は、前記駆動部が、前記被験者が遠視者である場合、前記表示部を前記被験者から遠ざける方向に移動させるものである。上記構成によれば、被験者は、判別の可否を認識しやすくなり、正確に申告することができるため、より正確な視力測定が可能となる。
【００２０】
また、本発明の視力測定装置は、目の結像調節機能の訓練を行う視力回復訓練モードを有し、前記視力回復訓練モード時には、前記表示部が、訓練用画像を表示し、前記駆動部が、前記表示部を連続的に往復運動させ、前記表示制御部が、前記被験者の目の位置と前記表示部の位置との距離に応じて、前記訓練用画像が網膜上に、前記設定された視力値に応じた一定のサイズで投影されるように前記訓練用画像の表示サイズを変化させるものである。上記構成によれば、視力回復訓練の効果を測定することができる。
【発明の効果】
【００２１】
本発明によれば、被験者の目の位置と視力測定用画像の表示部の位置との距離に応じて、視力測定用画像が被験者の網膜上に設定された視力値に応じた一定のサイズで投影されるように、視力測定用画像の表示サイズを変化させることにより、どの距離の範囲において視力がいくらかを測定することができ、精度の高い視力測定が可能な視力測定装置を提供することができる。
【発明を実施するための最良の形態】
【００２２】
以下、本発明の実施の形態の視力測定装置について、図面を用いて説明する。
【００２３】
図１は本発明の実施の形態の視力測定装置の概略構成を示す図である。同図において、１は視力測定を行う被験者で、視力測定装置２の接眼部に顔を向けた状態を示している。視力測定装置２は、被験者の視力を測定するものであり、測定すべき視力値を設定する視力設定装置（図示せず、後述）と、視力測定用画像を表示する表示装置３と、被験者１の目の位置と表示装置３の位置との距離を変化させる駆動装置４と、被験者１の目の位置と表示装置３の位置との距離に応じて、視力測定用画像が被験者１の網膜上に、設定された視力値に応じた一定のサイズで投影されるように視力測定用画像の表示サイズを変化させる制御装置５とを備える。駆動装置４は、表示装置３を図のＸ方向に移動させる。
【００２４】
表示装置３及び駆動装置４は、制御装置５により制御される。また、視力測定装置２の接眼部の近傍には、被験者１による視力測定用画像の判別結果を入力するためのスイッチ等を有した入力装置６が設けられ、自動的に視力測定結果を求めることができるようになっている。
【００２５】
図２は表示装置３の視力測定用画像の一例を示す図である。表示装置３は低消費電力で視力測定用画像７を表示できる液晶表示パネルで構成されている。ここでは、視力測定用画像７にＣ形状のマーク（ランドルト環）が表示されている場合を示しており、入力装置６から入力する視力測定用画像７の判別結果には、その視力測定用画像７の方向（マークの切れ目の向き）を示す情報が含まれる。同図の（ａ）は被験者１の目の位置と表示装置３の位置との距離が近いとき、（ｂ）は遠いときをそれぞれ示している。
【００２６】
図３は本実施の形態の制御装置５及び入力装置６の構成を示すブロック図である。入力装置６は、上述のスイッチ１１の他に、測定すべき視力値を設定する視力値設定部１２を有する。また、入力装置６には、音声を入力する音声入力部１３、入力した音声を認識する音声認識部１４が設けられ、被験者１もしくは被験者１の周囲にいる人の音声により判別結果を入力することができるようになっている。また、入力装置６に入力が行われた時点における被験者１の目の位置と表示装置３の位置との距離の情報を出力する距離情報出力部１５が設けられ、取得した距離の情報を表示装置３に表示したり、音声で出力することにより、被験者１に距離を把握させることができるように構成されている。
【００２７】
制御装置５には、入力装置６からの制御情報を入力する制御入力部２１が設けられ、制御入力部２１を通して、上述の視力測定用画像の表示サイズを変化させる表示制御部２２及び、駆動装置４を制御する駆動制御部２３が制御される。また、表示装置３の移動方向を制御する移動方向制御部２４、位置を制御する位置制御部２５、及び速度を制御する速度制御部２６が設けられ、駆動装置４により、表示装置３を被験者１が視力測定用画像７を判別不可能な位置から判別可能な位置へ移動させることができる。
【００２８】
被験者１が近視者である場合は、表示装置３を被験者１に近づける方向に移動させ、被験者１が遠視者である場合は、表示装置３を被験者１から遠ざける方向に移動させる。表示装置３を、判別可能な位置から判別不可能な位置へ移動させる場合、被験者１にとって、自分が視力測定用画像７を判別できたか否かを正確に認識することが難しいのに対し、被験者１は、判別の可否を認識しやすくなり、正確に申告することができるため、より正確な視力測定が可能となる。
【００２９】
更に、本実施の形態の視力測定装置は、目の結像調節機能の訓練を行う視力回復訓練モードを有しており、この視力回復訓練モード時には、表示装置３は、訓練用画像を表示し、駆動装置４は、表示装置３を連続的に往復運動させ、表示制御部２２は、被験者１の目の位置と表示装置３の位置との距離に応じて、上記訓練用画像が網膜上に、視力値設定部１２で設定された視力値に応じた一定のサイズで投影されるように訓練用画像の表示サイズを変化させる構成を有している。これにより、視力回復訓練の効果を測定することができる。
【００３０】
本実施の形態によれば、設定された視力値に応じた視力測定用画像７を表示する表示装置３の位置と被験者１の目の位置との距離を変化させながら、被験者１に視力測定用画像７の判別可否を申告させることにより、どの程度の距離において測定対象の視力を有するかを測定することができる。すなわち、どの距離の範囲において視力がいくらかを測定することができ、より精度の高い視力測定が可能で、視力回復訓練などの条件を正確に設定することができる。
【００３１】
次に、本実施の形態における視力測定時の動作について説明する。視力を測定する際、視力測定用画像７に表示する視標として図２に示すＣ形状のマークを使用する。この場合、図８に示すように、視力値は１／視角（分）で表される。測定に使用するマークの向きは、上下左右の４方向とする。
【００３２】
実際の測定は、設定された視力値に相当するマーク（視力測定用画像）を表示しながら表示装置３をゆっくり動かして行う。このとき、被験者１の目の位置と表示装置３の位置との距離に応じて、視力測定用画像が被験者１の網膜上に、設定された視力値に応じた一定のサイズで投影されるように視力測定用画像の表示サイズを変化させる。被験者１はマークの向きが見えたところで、その切れ目の向きに応じたスイッチ１１を押す。このとき、押された向きと表示した向きが合っている場合は、その距離を記憶しておく。誤答の場合は、設定に従った動作（やり直しあるいは続行）をする。
【００３３】
そして、同じ視力値で設定された回数の測定を行い、全ての視力の測定を実施後、測定結果を表示してファイルを作成する。測定結果の表示形式は、視力値−距離（平均値）とし、ファイルのフォーマットは、視力値：距離、……距離（測定回数分だけ繰り返す）とする。ファイル名は日付時間（秒まで）とし、例えばＵＳＢメモリが挿し込まれたら、ファイルを自動的にコピーしてストレージから消去後、ＵＳＢメモリの開放まで実施する。
【００３４】
このように、本実施の形態では、表示装置３の位置を変化させながら同時にマークの表示サイズも変化させる。例えば、近視の測定において、視力０．５に相当するマークを表示しながら表示装置３を遠方から近づけたとき、３ｍの位置で判別できたとする。次に視力０．７に相当するマークを表示しながら同様の測定を行い、２ｍの位置で判別できたとする。これを視力値０．１程度から１．５程度まで行うことで、正確な視力を測定することが可能となる。
【００３５】
また、別の方法として、表示装置３を被験者１から３０ｃｍの位置に固定し、表示装置３に視力２．０相当サイズのマークを表示する。そして、マークを連続的に大きくしていき、被験者１が判別できたらマークの向きを入力する。このとき、マークの向きが違っていたらブザーを鳴らし、そのままマークのサイズを連続的に大きくしていき、マークの向きが合っていたら“ピンポン”を鳴らし、花丸を表示する。
【００３６】
次に、表示装置３を１ｍの位置に移動させ、同様に視力測定を行う。これを一定距離、例えば５ｍまで繰り返す。その際、表示するマークのサイズは前回の測定で判別できたサイズより１サイズ小さいものから始めてもかまわない。この場合測定時間を短縮できる。また、遠視者の場合は、表示装置３の位置を遠方から近づく方に移動させる方が合理的である。
【００３７】
図４は本実施の形態における視力測定のイメージを示す図である。上記の測定方法により、正確な視力測定が可能となる。
【００３８】
図５ないし図７に本実施の形態における視力測定結果を示す。図５は近視の場合、図６は遠視の場合、図７は弱視が疑われる場合をそれぞれ示している。各図のグラフの下側部分が見える範囲である。例えば、図５において、被験者の目の位置と表示装置の位置との距離が０〜１．０ｍの範囲において視力が０．７であり、距離が０〜０．７５ｍの範囲において視力が０．８であることが分かる。このように、近視、遠視、弱視の場合それぞれについて、どの距離の範囲において視力がいくらかを正確に測定することができる。
【００３９】
ここで、被験者１がマークを判別できたかどうかは、被験者１が声を入力することにより申告してもかまわないし、被験者の声を聞いた周囲の人の声で申告してもかまわない。また、上述のスイッチ１１などを押す方式でもかまわない。マークの切れ目の向きを申告させることで、視力測定をより正確に行うことができる。その際、表示するマークのコントラストを変化させることにより、白内障などの眼性異常による視力低下を容易に検出することができる。また、起床直後と作業後に同様の測定を行うことにより、眼性疲労による視力低下も測定することができる。
【００４０】
なお、視力測定用画像の判別結果を入力する手段としては、上記の方法の他に、スイッチ動作するジョイスティックを用いることもできる。また、表示装置３の移動速度は、被験者１がその動きに追従できる程度であれば良い。
【００４１】
また、被験者が入力した判別結果が違っていたらブザーを鳴らし、合っていたら“ピンポン”を鳴らし、花丸を表示してもよい。
【００４２】
なお、以上の説明では、被験者１の目の位置と視力測定用画像７の表示部の位置との距離を直線的な距離の例で説明したが、反射鏡などを利用して光学的な距離を変化させても同様に実施可能である。
【産業上の利用可能性】
【００４３】
本発明は、被験者の目の位置と視力測定用画像の表示部の位置との距離に応じて、視力測定用画像が被験者の網膜上に設定された視力値に応じた一定のサイズで投影されるように、視力測定用画像の表示サイズを変化させることにより、どの距離の範囲において視力がいくらかを測定することができ、精度の高い視力測定が可能になるという効果を有し、被験者の視力を測定するための視力測定装置等に有用である。
【図面の簡単な説明】
【００４４】
【図１】本発明の実施の形態の視力測定装置の概略構成を示す図
【図２】本発明の実施の形態における表示装置の視力測定用画像の一例を示す図
【図３】本発明の実施の形態における制御装置及び入力装置の構成を示すブロック図
【図４】本発明の実施の形態における視力測定のイメージを示す図
【図５】本発明の実施の形態における近視の場合の視力測定結果を示す図
【図６】本発明の実施の形態における遠視の場合の視力測定結果を示す図
【図７】本発明の実施の形態における弱視が疑われる場合の視力測定結果を示す図
【図８】ランドルト環を使用した視力測定動作を示す図
【図９】従来の視力測定のイメージを示す図
【符号の説明】
【００４５】
１  被験者
２  視力測定装置
３  表示装置
４  駆動装置
５  制御装置
６  入力装置
７  視力測定用画像
１１  スイッチ
１２  視力値設定部
１３  音声入力部
１４  音声認識部
１５  距離情報出力部
２１  制御入力部
２２  表示制御部
２３  駆動制御部
２４  移動方向制御部
２５  位置制御部
２６  速度制御部
【図１】
2006263067.tif 000003
【図２】
2006263067.tif 000004
【図３】
2006263067.tif 000005
【図４】
2006263067.tif 000006
【図５】
2006263067.tif 000007
【図６】
2006263067.tif 000008
【図７】
2006263067.tif 000009
【図８】
2006263067.tif 000010
【図９】
2006263067.tif 000011